【事件の表示】
　特願２０００−３２８１４３「水回り器具の取付部構造」拒絶査定不服審判事件〔平成１４年５月９日出願公開，特開２００２−１２９６１１〕について，次のとおり審決する。
【結　論】
　本件審判の請求は，成り立たない。
【理　由】
第１．手続の経緯
　本願は，平成１２年１０月２７日の出願であって，平成２１年９月１１日付けで拒絶査定がなされ，これに対し，同年１２月１７日に拒絶査定に対する審判請求がなされるとともに，これと同時に手続補正がなされたものであり，その後，平成２２年６月２１日付けで審判請求人に前置報告書の内容を示し意見を求めるための審尋を行ったところ，同年８月２４日付けで回答書が提出されたものである。
　　　　　
　　　　　
　　　　　
第２．平成２１年１２月１７日付けの手続補正についての補正の却下の決定
［補正の却下の決定の結論］
　平成２１年１２月１７日付けの手続補正（以下，「本件補正」という。）を却下する。
　　　　　
［理　　由］
１．補正後の本願発明
　本件補正により，特許請求の範囲の請求項１は，次のとおりに補正された。
　「水回り器具が取り付けられる平坦な設置面における水回り器具の取付領域に、当該設置面とは別体に製作した水回り器具の基部を着座させるための台座部が隙間なく取着され、該台座部の側周面が、上記設置面と水回り器具の基部の側周面とを連接する凹曲面に形成され、水回り器具の基部の側周面と台座部の側周面とが当該凹曲面の接線方向に連接すると共に、台座部の側周面と設置面とが当該凹曲面の接線方向に連接していることを特徴とする水回り器具の取付部構造。」
　　　　　
　上記補正は，補正前（平成２１年７月２１日付け手続補正書を参照。）の請求項１に係る発明の「台座部の側周面が、設置面と水回り器具の基部の側周面とを連接する凹曲面」の構成を，「水回り器具の基部の側周面と台座部の側周面とが凹曲面の接線方向に連接すると共に、台座部の側周面と設置面とが凹曲面の接線方向に連接している」と限定するものであって，特許請求の範囲の減縮を目的とする。
　そこで，本件補正後の上記請求項１に係る発明（以下，「補正発明」という。）が特許出願の際独立して特許を受けることができるものであるかについて，以下検討する。
　　　　　
　　　　　
２．刊行物及びその記載内容
　刊行物１：特開平１０−１１７９５５号公報
　刊行物２：実願昭５７−１１９１６４号（実開昭５９−２４４６８号）
　　　　　　のマイクロフィルム
　　　　　
（１）原査定の拒絶の理由に引用され本願出願前に頒布された上記刊行物１には，図面とともに，次のことが記載されている。
（1a）「【請求項１】  カウンター表面に設けられた水栓挿通孔の周囲に縦断面がほぼ台形状に滑らかに盛り上がった取付部が設けられ、この盛り上がっている取付部の上面に水栓が取り付けられ、この水栓の側面と取付部の側面とがほぼ連続した滑らかな面になされていることを特徴とするカウンター。」
（1b）「【０００１】
【発明の属する技術分野】本発明はカウンター表面に水栓が取り付けられているカウンターに関する。…
【０００２】
【従来の技術】従来、洗面台、厨房室、浴室等のカウンターに水栓を取り付けるときには、カウンターの平らな表面に水栓を取り付けることが多く行われている。…」
（1c）「【０００４】
【発明が解決しようとする課題】しかし、前記浴室等のカウンターでは、水栓とカウンター表面の境界では、ほぼ平らなカウンター表面と水栓の側面とがほぼ直角に交差する隅部が形成されている。…従って、このほぼ直角に交差する隅部は狭く掃除し難い。従って、この隅部にゴミ等が詰まったり微生物が繁殖したりして、衛生上好ましくない。
【０００５】このことを図２を参照しながら説明する。図２は、水栓１０１がカウンター表面１０２に取り付けられたカウンター１００が示されている。そして、この水栓１０１の側面とカウンター表面１０２の境界では、ほぼ直角に交差する隅部１０３が形成されている。この隅部１０３は、図２から判るように、狭く掃除し難い。従って、この隅部１０５にゴミ等が詰まったり微生物が繁殖して、衛生上好ましくない。そこで、本発明の目的は、水栓とカウンター表面の境界…にゴミ等が詰まり難いし、微生物が繁殖し難いカウンターを提供することである。」
（1d）「【００１２】図１において、１は洗面台であり、この洗面台１は上面にほぼ水平なカウンター２が設けられている。３は洗面ボールであり、この洗面ボール３はカウンター２のほぼ中央に設けられている。この洗面ボール３の背後のカウンター２の表面には、縦断面がほぼ台形状に滑らかに盛り上がっている取付部２１が設けられている。従って、このカウンターの表面はほぼ水平で、取付部２１のみ滑らかに盛り上がっている。そして、この取付部２１のほぼ中央には水栓挿通孔２２が設けられている。４は水栓であり、この水栓４はカウンター２の洗面ボール３の後部の取付部２１にスペーサー５を介して取り付けられている。
【００１３】このスペーサー５は上面が水栓４の下面とほぼ同じであり、下面が取付部２１の上面とほぼ同じで、側面が取付部２１の傾斜面とほぼ同じ傾斜を有する環状体である。従って、洗面台２の取付部２１の上にスペーサー５を載せ、この上に水栓４を取り付けると、取付部２１の側面とスペーサー５の側面と水栓４の側面とは連続した滑らかな面を形成する。」
（1e）「【００１５】次に、この洗面台１の取付方法および作用について説明する。洗面台１を所定位置に据え付け、取付部２１のほぼ中央に水栓挿通孔２２を設け、この取付部２１の上にスペーサー５を載せ、水栓４の接続部４１をスペーサー５の環状の中心部、および、カウンター２の水栓挿通孔２２の中を通過させ、接続部４１の先端をカウンター２の裏面に貫通させる。カウンター２の裏面に貫通した接続部４１にナット４５を螺入して、カウンター２にスペーサー５と水栓４を取り付ける。」
（1f）「【００１８】
【発明の効果】請求項１記載のカウンターでは、カウンター表面に設けられた水栓挿通孔の周囲に縦断面がほぼ台形状に滑らかに盛り上がっている取付部が設けられているから、このカウンター表面の平らな部分と盛り上がった取付部の境界は滑らかな面となっていて、この部分は掃除し易い。従って、この部分にゴミが詰まることがないし、微生物が繁殖しないので衛生的である。又、この盛り上がっている取付部の上面に水栓が取り付けられ、この水栓の側面と取付部の側面とがほぼ連続した滑らかな面になされているから、取付部と水栓支持部との境界は、カウンターより高い位置にあり、しかも、ほぼ連続した滑らかな面となっていて、この部分も掃除し易い。従って、この部分にゴミが詰まることがないし、微生物が繁殖しないので衛生的である。」
　　　　　
　上記（1a）〜（1f）の記載及び図面の記載並びに当業者の技術常識からみて，刊行物１には，次の発明（以下，「刊行物１記載の発明」という。）が記載されているものと認められる。
　「水栓４が取り付けられるカウンター２の表面に台形状に盛り上げた取付部２１の上面における水栓４の取付領域に，当該取付部２１の上面とは別体に製作した水栓４の基部を着座させるためのスペーサー５が隙間なく取着され，該スペーサー５の側周面が，上記取付部２１の側周面と水栓４の基部の側周面とを連接する滑らかな面に形成され，水栓４の基部の側周面とスペーサー５の側周面とが滑らかな面で連接すると共に，カウンター２の表面の平らな部分と取付部２１の側周面とが滑らかな面で連接する水栓４の取付部構造。」
　　　　　
（２）同じく，刊行物２には，図面とともに，次のことが記載されている。
（2a）「本考案は台所等における流しの水槽への水栓の取付けの改良に関するものである」（明細書１頁１０〜１１行）
（2b）「本考案は…、ハンドル等の周辺における清掃に適し、この種のものに要求される清潔な状態を維持するに適した流しを提供することを目的とする。…」（同書２頁５〜８行）
（2c）「…第１図は本考案に係るホーロー製の流しの水槽の斜視図であり、第２図は水栓取付部のＡ−Ａ′拡大断面図である。流し１は水槽部２と水槽部２上部から外側に折曲し平坦な縁状に形成したカウンター部３からなる。カウンター部３の適宜位置には水栓の取付部４を設ける。取付部４は第２図に示す如くカウンター部３から上方に円筒状に突出形成して取付基台５を成し、取付基台５はカウンター部３の上面から下面に貫通した取付孔６を形成する。取付基台５に水栓７を取付ける。…」（同書２頁１３行〜３頁３行）
（2d）第２図には、取付基台５とカウンター部３との隅角部を凹曲面としたことが記載されている。
　　　　　
　　　　　
３．対比
　補正発明と刊行物１記載の発明とを対比する。
　刊行物１記載の発明の「水栓４」が補正発明の「水回り器具」に相当し，同じく，「スペーサー５」が「台座部」に相当する。
　また，刊行物１記載の発明の「カウンター２の表面に台形状に盛り上げた取付部２１の上面」と補正発明の「平坦な設置面」とが「設置面」で共通し，同じく，「スペーサー５の側周面が，取付部２１の側周面と水栓４の基部の側周面とを連接する滑らかな面に形成され，水栓４の基部の側周面とスペーサー５の側周面とが滑らかな面で連接すると共に，カウンター２の表面の平らな部分と取付部２１の側周面とが滑らかな面で連接する」と「台座部の側周面が、設置面と水回り器具の基部の側周面とを連接する凹曲面に形成され、水回り器具の基部の側周面と台座部の側周面とが当該凹曲面の接線方向に連接すると共に、台座部の側周面と設置面とが当該凹曲面の接線方向に連接し」とが「台座部の側周面が，設置面と水回り器具の基部の側周面とを滑らかに連接するように形成され」で共通する。
　　　　　
　そうすると，両者は，
　「水回り器具が取り付けられる設置面における水回り器具の取付領域に，当該設置面とは別体に製作した水回り器具の基部を着座させるための台座部が隙間なく取着され，該台座部の側周面が，上記設置面と水回り器具の基部の側周面とを滑らかに連接するように形成された水回り器具の取付部構造。」である点で一致し，次の点で相違する。
＜相違点１＞
　水回り器具を取り付ける設置面について，
　補正発明が，平坦な設置面であるのに対し，
　刊行物１記載の発明は，カウンターの表面に台形状に盛り上げた取付部の上面である点。
＜相違点２＞
　台座部の側周面について，
　補正発明が，設置面と水回り器具の基部の側周面とを連接する凹曲面に形成したのに対し，
　刊行物１記載の発明は，取付部の側周面と水回り器具（水栓）の基部の側周面とを連接する滑らかな面に形成した点。
＜相違点３＞
　水回り器具を取り付ける設置面と水回り器具の基部の側周面とを滑らかに連接することについて，
　補正発明は，水回り器具の基部の側周面と台座部の側周面とが（台座部の）凹曲面の接線方向に連接すると共に、台座部の側周面と設置面とが上記凹曲面の接線方向に連接しているのに対し，
　刊行物１記載の発明は，水回り器具の基部の側周面と台座部（スペーサー）の側周面とが滑らかな面で連接すると共に，カウンターの表面の平らな部分と取付部の側周面とが滑らかな面で連接する点。
　　　　　
　　　　　
４．判断
（１）相違点の検討
＜相違点１について＞
　相違点１について検討する。
　水回り器具を取り付ける設置面を平坦な設置面とすることは，刊行物１に「従来、洗面台、厨房室、浴室等のカウンターに水栓を取り付けるときには、カウンターの平らな表面に水栓を取り付けることが多く行われている。」（上記（1b）の記載を参照。）と記載され，また，その他にも，例えば，特開平６−１０３８３号公報に従来例（【図５】を参照。）として記載されているように，当該技術分野において従来から周知の技術である。
　そうすると，刊行物１記載の発明において，上記周知の技術を採用し，補正発明のように，水回り器具を取り付ける設置面を平坦な設置面とするように構成することは，当業者であれば容易に想到できることである。
　
＜相違点２について＞
　相違点２について検討する。
　刊行物２には，ハンドル等の周辺における清掃に適し，清潔な状態を維持するに適した流しの水槽への水栓の取り付けであること（上記（2a），（2b）の記載を参照。），取付部４をカウンター部３から上方に円筒状に突出形成して取付基台５を成すこと（上記（2c）の記載を参照。），及び，カウンター部３と取付基台５との隅角部を凹曲面とすること（上記（2d）の記載を参照。）が記載されており，このような記載からみて，刊行物２には，補正発明と同様に，「水垢等の汚れの付着が防止され、取付部の清掃も容易にする」（本願明細書の段落【０００５】を参照。）ために，「水栓の取付基台５とカウンター部３との隅角部を凹曲面とした」発明が記載されているものと認められる。
　そうすると，刊行物１記載の発明に刊行物２記載の発明を適用して，補正発明のように，台座の側周面を設置面と水回り器具の基部の側周面とを連接する凹曲面に形成するように構成することは，当業者であれば容易に想到できることである。
＜相違点３について＞
　相違点３について検討する。
　刊行物１記載の発明は，水栓とカウンター表面の境界にゴミ等が詰まり難く，微生物が繁殖し難いカウンターを提供するため，すなわち，補正発明と同様に，「水垢等の汚れの付着が防止され、取付部の清掃も容易にする」ために，「水栓４の基部の側周面とスペーサー５の側周面とが滑らかな面で連接すると共に，カウンター２の表面の平らな部分と取付部２１の側周面とが滑らかな面で連接する」ようにしたものである。
　そうすると，刊行物１記載の発明に刊行物２記載の発明を適用して，台座の側周面を設置面と水回り器具の基部の側周面とを連接する凹曲面に形成する際に，設置面と水回り器具の基部の側周面とを滑らかに連接するようにするために，補正発明のように，水回り器具の基部の側周面と台座部の側周面とが凹曲面の接線方向に連接すると共に，台座部の側周面と設置面とが凹曲面の接線方向に連接するように構成することは，当業者であれば適宜なし得る設計的事項にすぎない。
　　　　　
（２）作用効果・判断
　そして，補正発明全体の構成により奏する作用効果も，格別のものではない。
　よって，補正発明は，刊行物１，２記載の発明及び技術分野における周知の技術に基いて，当業者が容易に発明をすることができたものであるから，特許法第２９条第２項の規定により特許出願の際独立して特許を受けることができないものである。
　　　　　
　　　　　
５．補正の却下の決定のむすび
　したがって，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　　　　　
　　　　　
　　　　　
第３．本願発明について
　平成２１年１２月１７日付けの手続補正は上記のとおり却下されたので，本願の請求項１に係る発明（以下，「本願発明」という。）は，平成２１年７月２１日付け手続補正書の特許請求の範囲の請求項１に記載された事項により特定される，次のとおりのものである。
　「水回り器具が取り付けられる平坦な設置面における水回り器具の取付領域に、当該設置面とは別体に製作した水回り器具の基部を着座させるための台座部が隙間なく取着され、該台座部の側周面が、上記設置面と水回り器具の基部の側周面とを連接する凹曲面に形成されていることを特徴とする水回り器具の取付部構造。」
　　　　　
１．刊行物及びその記載内容
　原査定に引用され，本願出願前に頒布された刊行物及びその記載内容は，上記「第２．２．」に記載したとおりである。
　　　　　
　　　　　
２．対比・判断
　本願発明は，上記「第２．」で検討した補正発明から，「台座部の側周面が、設置面と水回り器具の基部の側周面とを連接する凹曲面」との構成の限定事項である，「水回り器具の基部の側周面と台座部の側周面とが当該凹曲面の接線方向に連接すると共に、台座部の側周面と設置面とが当該凹曲面の接線方向に連接している」との構成を省いたものである。
　そうすると，本願発明の構成要件を全て含み，さらに他の構成要件を付加したものに相当する補正発明が，上記「第２．４．」で説示したとおり，刊行物１，２記載の発明及び技術分野における周知の技術に基いて当業者が容易に発明をすることができたものであるから，本願発明も，同様の理由により，刊行物１，２記載の発明及び技術分野における周知の技術に基いて当業者が容易に発明をすることができたものである。
　　　　　
　　　　　
３．むすび
　以上のとおり，本願発明は，刊行物記載の発明１，２及び技術分野における周知の技術に基いて当業者が容易に発明をすることができたものであり，特許法第２９条第２項の規定により特許を受けることができないから，本願は拒絶をすべきものである。
　よって，結論のとおり審決する。